(57)【要約】【課題】ラベルロールにおいてラベルテープを巻芯に容易に巻き付け可能としながら、ラベルテープの全てのラベルを無駄なく製品に貼り付けることができ、かつ、異物がラベルと共に製品に貼り付けられることを抑制できるようにする。【解決手段】帯状に形成された剥離台紙１１、及び、該剥離台紙１１の表面１１ａに仮着された複数のラベル１２を有するラベルテープ２と、該ラベルテープ２を巻き付ける巻芯３と、前記剥離台紙１１の長手方向の端部と巻芯３との間に設けられて、前記ラベルテープ２を前記巻芯３の外周面３ａ上に保持する保持部材４と、を備えるラベルロール１を提供する。【選択図】図１
2015074541.tif 000002
【特許請求の範囲】
【請求項１】
帯状に形成された剥離台紙、及び、該剥離台紙の表面に仮着された複数のラベルを有するラベルテープと、
該ラベルテープを巻き付ける巻芯と、
前記剥離台紙の長手方向の端部と巻芯との間に設けられて、前記ラベルテープを前記巻芯の外周面上に保持する保持部材と、を備えるラベルロール。
【請求項２】
前記保持部材が、前記巻芯の外周面に固定され、前記剥離台紙を摩擦力によって前記外周面上に保持する部材であることを特徴とする請求項１に記載のラベルロール。
【請求項３】
前記保持部材が、前記巻芯の外周面のうち周方向の一部のみに設けられることを特徴とする請求項１又は請求項２に記載のラベルロール。
【発明の詳細な説明】
【技術分野】
【０００１】
本発明は、ラベルロールに関する。
【背景技術】
【０００２】
従来、帯状の剥離台紙の表面にラベルを複数仮着した帯状のラベルテープを、筒状の巻芯に巻き付けたラベルロールがある。ラベルロールは、例えば、複数の各種製品に対してラベルを順次貼り付けるラベル貼付機において用いられる。
【０００３】
従来、ラベルロールにおいて、ラベルテープを巻芯に巻き付ける際には、ラベルテープの長手方向の端部を粘着テープにより巻芯に固定する。剥離台紙は仮着されたラベルを剥がしやすいように加工されているため、上記粘着テープは、剥離台紙ではなく、剥離台紙の端部に仮着されたラベル（終端ラベル）に貼り付けられる。
また、特許文献１には、剥離台紙の端部に仮着された終端ラベルの粘着層の一部を剥離台紙の裏面側に露出させた上で、終端ラベルを巻芯に貼り付けることにより、ラベルテープの端部を巻芯に固定する手法が開示されている。
【先行技術文献】
【特許文献】
【０００４】
【特許文献１】特開２０１２−１６２３５２号公報
【発明の概要】
【発明が解決しようとする課題】
【０００５】
しかしながら、ラベルテープの端部を粘着テープにより巻芯に固定する場合、ラベルテープを巻芯から繰り出す際に、粘着テープがラベル（終端ラベル）に貼り付けられたままで、ラベルが巻芯から離れる虞がある。この場合、粘着テープが異物としてラベルと共に製品に貼り付けられてしまい、製品が不良品として取り扱われるため、好ましくない。
【０００６】
一方、特許文献１の構成では、ラベル（終端ラベル）が巻芯に貼り付けられるため、また、このラベルが巻芯から離れて製品に貼り付けられるまでの間に、外部に露出したラベルの粘着層に塵埃等の異物が付着するため、ラベルの粘着力が低下して、ラベルが製品から剥がれてしまう虞がある。すなわち、ラベルが無駄になってしまう虞がある。また、特許文献１の構成では、製品とラベルとの間に塵埃等の異物が介在することで、製品が不良品として取り扱われる虞もある。
【０００７】
本発明は、上述した事情に鑑みたものであって、ラベルテープを巻芯に容易に巻き付け可能としながら、ラベルテープの全てのラベルを無駄なく製品に貼り付けることができ、かつ、異物がラベルと共に製品に貼り付けられることを抑制できるラベルロールを提供することを目的とする。
【課題を解決するための手段】
【０００８】
この課題を解決するために、本発明のラベルロールは、帯状に形成された剥離台紙、及び、該剥離台紙の表面に仮着された複数のラベルを有するラベルテープと、該ラベルテープを巻き付ける巻芯と、前記剥離台紙の長手方向の端部と巻芯との間に設けられて、前記ラベルテープを前記巻芯の外周面上に保持する保持部材と、を備えることを特徴とする。
【０００９】
上記構成のラベルロールによれば、ラベルテープの長手方向の端部が保持部材によって巻芯の外周面上に保持されるため、ラベルテープを容易に巻芯に巻き付けることができる。
また、上記構成のラベルロールによれば、保持部材が、巻芯と剥離台紙との間に設けられるため、ラベル（特に剥離台紙の端部に仮着されたラベル）が保持部材に接触することを防止できる。したがって、ラベルが保持部材との接触によって傷ついたり、保持部材の一部が異物としてラベルに付着したりすることを抑制できる。
【００１０】
さらに、上記構成のラベルロールによれば、ラベルが巻芯から離れて製品に貼り付けられるまで、ラベルを剥離台紙に仮着しておくことができるため、すなわち、ラベルの粘着層が剥離台紙によって覆われた状態に保持できるため、製品とラベルとの間に塵埃等の異物が介在することを抑制できる。
以上のことから、ラベルを貼り付けた製品が、ラベルの傷や異物によって不良品として取り扱われることを抑制することが可能となる。
【００１１】
また、上記構成のラベルロールによれば、従来のようにラベルを巻芯に貼り付けないため、ラベルが巻芯から離れて製品に貼り付けられるまでの間にラベルの粘着力が低下することも抑制できる。したがって、ラベルテープの全てのラベルを無駄なく製品に貼り付けることができる。
【００１２】
そして、前記ラベルロールにおいては、前記巻芯の外周面に固定され、前記剥離台紙を摩擦力によって前記外周面上に保持する部材であるとよい。
言い換えれば、前記保持部材は摩擦係数の高い部材であるとよい。
【００１３】
上記構成のラベルロールにおいて、ラベルテープを巻芯に巻き付ける際には、剥離台紙の端部を巻芯に固定された保持部材に重ねて配した上で、ラベルテープを一周以上巻芯に巻き付ければよい。このようにラベルテープを巻き付けた状態では、ラベルテープの端部上にラベルテープの長手方向の中途部が重なるため、ラベルテープの巻き付け作業によってラベルテープの端部が中途部によって保持部材に押し付けられる。これにより、保持部材と剥離台紙の端部との間には、巻芯に対するラベルテープの巻き付け方向とは逆向きの摩擦力が発生し、剥離台紙の端部を巻芯の外周面上に保持することができる。
【００１４】
そして、上記構成のラベルロールによれば、巻芯に対するラベルテープの巻き付け及び繰り出しを繰り返し行っても、保持部材によってラベルテープの端部を保持する力が劣化しにくい、という効果を奏する。すなわち、保持部材を固定した巻芯を多数回繰り返して使用することが可能となり、その結果として、ラベルロールの製造コスト削減を図ることができる。
【００１５】
また、前記ラベルロールにおいては、前記保持部材が、前記巻芯の外周面のうち周方向の一部のみに設けられるとよい。
【発明の効果】
【００１６】
本発明によれば、ラベルテープを巻芯に容易に巻き付け可能としながら、ラベルテープの全てのラベルを無駄なく製品に貼り付けることができ、かつ、ラベルを貼り付けた製品が不良品として取り扱われることを抑制できる。
【図面の簡単な説明】
【００１７】
【図１】本発明の一実施形態に係るラベルロールを示す斜視図である。
【図２】図１のラベルロールの巻芯を示す斜視図である。
【図３】図２の巻芯にラベルテープを巻き付ける際の作用を説明する断面図である。
【発明を実施するための形態】
【００１８】
以下、図１〜３を参照して本発明の一実施形態について説明する。
図１に示すように、本実施形態に係るラベルロール１は、ラベルテープ２と、巻芯３と、保持部材４と、を備える。ラベルテープ２は、帯状に形成された剥離台紙１１と、剥離台紙１１の表面１１ａに仮着された複数のラベル１２と、を備える。各ラベル１２は、シート状に形成された基材（不図示）の一方側の面に粘着層（不図示）を形成して構成されている。
【００１９】
剥離台紙１１は、例えば上質紙やグラシン紙等からなるシート状の基材（不図示）上に、ラベル１２の粘着層を容易に剥離可能な剥離層（不図示）を形成して構成されている。剥離層としては、例えばシリコーン樹脂等が挙げられる。剥離層は、少なくともラベル１２が仮着される剥離台紙１１の表面１１ａ側に形成されればよいが、例えば裏面１１ｂ側にも形成されてよい。
前述した複数のラベル１２は、上記剥離台紙１１の長手方向に間隔をあけて配列されている。なお、ラベル１２は、例えば剥離台紙の長手方向の端部に配されてもよいし、配されなくてもよい。
【００２０】
図１，２に示すように、巻芯３は、円筒状に形成されている。巻芯３は、例えば紙管であってもよいし、例えばＰＰ（ポリプロピレン）、ＰＶＣ（ポリ塩化ビニル）、ＰＥＴ（ポリエチレンテレフタレート）等の樹脂材料によって形成されてもよい。巻芯３の軸方向の寸法は、図１のように剥離台紙１１の幅寸法と同等に設定されてもよいが、例えば剥離台紙１１の幅寸法よりも大きく設定されてもよい。
【００２１】
保持部材４は、剥離台紙１１の長手方向の端部１１Ｅ（図３参照）と巻芯３との間に設けられて、ラベルテープ２を巻芯３の外周面３ａ上に保持するものである。本実施形態の保持部材４は、巻芯３の外周面３ａに固定されている。また、本実施形態の保持部材４は、剥離台紙１１を摩擦力によって巻芯３の外周面３ａ上に保持する部材である。言い換えれば、保持部材４は、剥離台紙１１との間に摩擦力が生じ得る摩擦係数の高い部材である。
【００２２】
このような保持部材４は、例えばシート状に形成され、接着剤等により巻芯３の外周面３ａに接着されるとよい。シート状の保持部材４としては、例えば、剥離台紙１１に接触する保持部材４の表面４ａの面粗さが大きいものが挙げられ、具体的には、エンボス加工を施した紙製あるいは樹脂製のフィルムが挙げられる。また、シート状の保持部材４の材料としては、例えば天然ゴム、各種合成ゴムなども挙げられる。
【００２３】
また、保持部材４は、例えば巻芯３の外周面３ａへの塗工によって形成されてもよい。この場合、保持部材４は、例えば粘着剤等の材料を巻芯３の外周面３ａに塗布した後、当該材料を所定時間だけ乾燥させることで得られる。
さらに、本実施形態では、上記した保持部材４が巻芯３の外周面３ａのうち周方向の一部のみに設けられている。また、保持部材４は、巻芯３の外周面３ａのうち巻芯３の軸方向の中間領域にのみ設けられ、巻芯３の軸方向の端部領域には設けられない。
【００２４】
以上のように構成される本実施形態のラベルロール１において、ラベルテープ２を巻芯３に巻き付ける際には、図３に示すように、剥離台紙１１の長手方向の端部１１Ｅを巻芯３に固定された保持部材４に重ねて配した上で、ラベルテープ２を巻芯３に一周以上巻き付ければよい。本実施形態では、剥離台紙１１の裏面１１ｂが保持部材４に接触するように、剥離台紙１１の端部１１Ｅが保持部材４上に重ねて配される。
【００２５】
このようにラベルテープ２を巻き付けた状態では、ラベルテープ２（剥離台紙１１）の端部１１Ｅ上にラベルテープ２（剥離台紙１１）の長手方向の中途部１１Ｈが重なるため、ラベルテープ２の巻き付け作業にはラベルテープ２の端部１１Ｅが中途部１１Ｈによって保持部材４の表面４ａに押し付けられる。すなわち、ラベルテープ２の端部１１Ｅを保持部材４に押し付ける垂直荷重Ｎが発生する。これにより、保持部材４と剥離台紙１１の端部１１Ｅとの間には、巻芯３に対するラベルテープ２の巻き付け方向Ｗとは逆向きの摩擦力Ｆが発生し、剥離台紙１１の端部１１Ｅを巻芯３の外周面３ａ上に保持することができる。
【００２６】
以上説明したように、本実施形態のラベルロール１によれば、ラベルテープ２の端部１１Ｅが保持部材４によって巻芯３の外周面３ａ上に保持されるため、ラベルテープ２を容易に巻芯３に巻き付けることができる。
また、本実施形態のラベルロール１によれば、保持部材４が、巻芯３と剥離台紙１１との間に設けられるため、ラベル１２（特に剥離台紙１１の端部１１Ｅに仮着されたラベル１２）が保持部材４に接触することを防止できる。これにより、ラベル１２が保持部材４との接触によって傷ついたり、保持部材４の一部が異物としてラベル１２に付着したりすることを抑制できる。
【００２７】
さらに、本実施形態のラベルロール１によれば、ラベル１２が巻芯３から離れて製品（不図示）に貼り付けられるまで、ラベル１２を剥離台紙１１に仮着しておくことができるため、すなわち、ラベル１２の粘着層が剥離台紙１１によって覆われた状態に保持できるため、製品とラベル１２との間に塵埃等の異物が介在することを抑制できる。
以上のことから、ラベル１２を貼り付けた製品が、ラベル１２の傷や異物によって不良品として取り扱われることを抑制することが可能となる。
【００２８】
また、本実施形態のラベルロール１によれば、従来のようにラベル１２を巻芯３に貼り付けないため、ラベル１２が巻芯３から離れて製品に貼り付けられるまでの間にラベル１２の粘着力が低下することも抑制できる。したがって、ラベルテープ２の全てのラベル１２を無駄なく製品に貼り付けることができる。
【００２９】
さらに、本実施形態では、剥離台紙１１の端部１１Ｅにおける裏面１１ｂが保持部材４に押し付けられるため、ラベル１２が仮着される剥離台紙１１の表面１１ａは保持部材４に接触しない。これにより、剥離台紙１１の端部１１Ｅにおける表面１１ａにラベル１２を仮着しても、このラベル１２が保持部材４によって傷つけられることはない。したがって、同一長さの剥離台紙１１に、より多くのラベル１２を仮着しておくことが可能となり、剥離台紙１１を有効に活用できる。
【００３０】
また、本実施形態のラベルロール１によれば、剥離台紙１１を摩擦力によって巻芯３の外周面３ａ上に保持するため、巻芯３に対するラベルテープ２の巻き付け及び繰り出しを繰り返し行っても、保持部材４によってラベルテープ２の端部１１Ｅを保持する力が劣化しにくい、という効果を奏する。すなわち、保持部材４を固定した巻芯３を多数回繰り返して使用することが可能となり、その結果として、ラベルロール１の製造コスト削減を図ることができる。
【００３１】
さらに、本実施形態のラベルロール１によれば、保持部材４を巻芯３の外周面３ａの一部のみに設けるだけで、上記したようにラベルテープ２の端部１１Ｅを巻芯３の外周面３ａ上に保持する効果が得られるため、保持部材４の使用量を抑制して、ラベルロール１の製造コストを低く抑えることができる。
また、本実施形態のラベルロール１は、従前の巻芯３の外周面３ａに保持部材４を設けるだけで構成することもできる。したがって、上記効果を奏するラベルロール１を低コストで製造することが可能となる。
【００３２】
さらに、シート状の保持部材４を用いる場合には、保持部材４を巻芯３の外周面３ａに貼り付けるだけでよいため、保持部材４が塗工によって形成される場合と比較して、短時間でラベルロール１を製造することが可能となる。すなわち、ラベルロール１の製造効率向上を図ることができる。
【００３３】
以上、本発明の詳細について説明したが、本発明は上述した実施形態に限定されるものではなく、本発明の趣旨を逸脱しない範囲において種々の変更を加えることができる。
例えば、上記実施形態では、剥離台紙１１の端部１１Ｅにおける裏面１１ｂを保持部材４に接触させているが、例えば剥離台紙１１の端部１１Ｅにおける表面１１ａを保持部材４に接触させてもよい。この場合には、ラベル１２が保持部材４によって傷つけられないように、剥離台紙１１の端部１１Ｅにおける表面１１ａにラベル１２を仮着しなければよい。
そして、上記実施形態のように保持部材４が巻芯３の周方向の一部のみに設けられていれば、上記のように保持部材４に接触する剥離台紙１１の端部１１Ｅにおける表面１１ａの領域を小さく抑えることができる。このため、保持部材４が巻芯３の周方向全体に設けられる場合と比較して、ラベル１２を仮着する剥離台紙１１の表面１１ａの領域を大きく設定しても、ラベル１２が保持部材４によって傷つけられることを防止できる。
【００３４】
また、上記実施形態の保持部材４は、剥離台紙１１を摩擦力によって巻芯３の外周面３ａ上に保持する部材であるが、例えば両面テープ等のように剥離台紙１１を粘着力によって外周面３ａ上に保持する部材であってもよい。なお、保持部材４が両面テープである場合、剥離台紙１１に接触する両面テープの表面側の粘着力が、巻芯３の外周面３ａに接触する両面テープの裏面側の粘着力よりも小さいことが好ましい。
【符号の説明】
【００３５】
１  ラベルロール
２  ラベルテープ
３  巻芯
３ａ  外周面
４  保持部材
４ａ  表面
１１  剥離台紙
１１ａ  表面
１１ｂ  裏面
１１Ｅ  端部
１１Ｈ  中途部
１２  ラベル
Ｆ  摩擦力
【図１】
2015074541.tif 000003
【図２】
2015074541.tif 000004
【図３】
2015074541.tif 000005